(57)【要約】【課題】本発明は高速転向の蒸気タービン設備を開示した。【解決手段】本発明の高速転向の蒸気タービン設備は、装置主体、前記装置主体に設置される案内装置、前記装置主体に設置される動力装置、前記装置主体に設置される緊急救命装置、前記装置主体に設置される揚水装置及び前記装置主体に設置される垂釣装置を含み、前記案内装置が前記装置主体の上端に設置される第一案内ブロックを含み、前記第一案内ブロックに第一回転筐体が設置され、前記第一回転筐体に回転できる第一斜歯歯車が設置され；本装置が三つのスクリューを駆動とすることに運用し、船のスピードをもっと速め、また転向が一般当て板で支配するヨットに比べて、もっと機敏で、本装置が船体には救命ボートが設置され、突発の状況には生存率は大きく向上した。【選択図】図1
2020011704.tif 000002
【特許請求の範囲】
【請求項１】
高速転向の蒸気タービン設備は、装置主体、前記装置主体に設置される案内装置、前記装置主体に設置される動力装置、前記装置主体に設置される緊急救命装置、前記装置主体に設置される揚水装置及び前記装置主体に設置される垂釣装置を含み、前記案内装置が前記装置主体の上端に設置される第一案内ブロックを含み、前記第一案内ブロックに第一回転筐体が設置され、前記第一回転筐体に回転できる第一斜歯歯車が設置され、前記第一斜歯歯車の軸心に回転でき且つ左端が前記第一案内ブロックに伸びる第一回転軸が固定に接続され、前記第一回転軸の左端にハンドルが固定に接続され、前記第一回転筐体の右側に第二回転筐体が連通し設置され、前記第二回転筐体に前記第一斜歯歯車と噛合係合し接続される第二斜歯歯車が設置され、前記第二斜歯歯車の軸心に回転できる第二回転軸が固定に接続され、前記装置主体に第一空き筐体が設置され、前記第二回転軸の下端が前記第一空き筐体に挿入し且つ前記第二回転軸の下端にフック継手が固定接続され、前記第一空き筐体の左側内壁に第一伝動筐体が設置され、前記第一伝動筐体と前記第一空き筐体の間に第一通り穴が連通し設置され、前記フック継手の下端に回転でき且つ前記第一通り穴を通じて前記第一伝動筐体に伸びる第三回転軸が固定に接続され、前記第三回転軸の下端に回転できる第一平歯車が固定に接続され、前記第一伝動筐体の左側に第一スライド筐体が連通し設置され、前記第一スライド筐体に前記第一平歯車と螺合し接続し且つ前後にスライドするラックが設置され、前記装置主体の前後端に前後対称の第二作業ブロックが固定に接続され、前記第二作業ブロックに前記第一スライド筐体と連通する第二伝動筐体が設置され、前記第二伝動筐体に開口が相対する上下対称の第一ガイド溝が設置され、前記第一スライド筐体に前記第二伝動筐体に挿入し且つ上下端が前記第一ガイド溝に引っ掛かって前記第一ガイド溝に沿って前後にスライドする第一スライドブロックが設置され、前記第一スライドブロックの相対する端に口が相対する第一凹形溝が設置され、前記第一凹形溝の左右側の内壁に左右対称のガイドブロックが固定に接続され、前記ラックの前後端にそれぞれ前記凹形溝に伸びる第二スライドブロックが対称で固定に接続され、前記第一スライドブロックの左端の外側に近づく位置に第四回転軸が回転で固定に接続され、前記第二作業ブロックの左端に開口が左向く第二凹形溝が設置され、前記第二凹形溝と前記第二伝動筐体の間に第二通り穴が連通し設置され、前記第二通り穴に開口が相対する上下対称の第二ガイド溝が設置され、前記第二通り穴に上下端が前記第二ガイド溝に挿入し且つ前後にスライドできる第三スライドブロックが設置され、前記第四回転軸の左端が伸びて前記第二通り穴を通して前記第二凹形溝に伸び且つ第一スクリューと固定に接続され、前記第四回転軸が伸びて前記第三スライドブロックを通り抜けて前記第三スライドブロックと回転的に固定に接続され、前記第三スライドブロックの前後端に他端が前記第二通り穴の前後端の内壁に固定に接続される弾性防水皮が対称で固定に接続され、前記動力装置が前記装置主体の左端に固定に設置される蒸気タービンを含み、前記蒸気タービンの下端に第五回転軸が動力で係合し接続され、前記蒸気タービンの下端の内壁に第三回転筐体が設置され、前記第五回転軸の下端が前記第三回転筐体に挿入して回転できる第三斜歯歯車と固定に接続され、前記第三斜歯歯車の右端に回転できる第四斜歯歯車が噛合係合し接続され、前記第四斜歯歯車の軸心に左端が外界に挿入し且つ回転できる第六回転軸が固定に接続され、前記第六回転軸の左端に第二スクリューが固定に接続され、前記第三回転筐体の右側の内壁に右側の内壁が前記第一スライド筐体に連通する第四回転筺体が設置され、前記第六回転軸の右端が第四回転筐体に挿入して回転できる第五斜歯歯車と固定に接続され、前記第四回転筐体に前記第五斜歯歯車と噛合係合し接続される第六斜歯歯車が前後対称で設置され、前記第六斜歯歯車の軸心に前記伝動筐体に挿入し且つ回転できる第七回転軸が固定に接続され、前記第七回転軸の他端に回転できる第七斜歯歯車が固定に接続され、前記第七斜歯歯車の右端に前記第四回転軸に固定に接続される第八斜歯歯車が噛合係合し接続され、前記第二伝動筐体の外側の内壁に口が内向く且つ前記第八斜歯歯車と整列する第三凹形溝が設置され、前記緊急救命装置が前記装置主体に設置される開口が後向く第五凹形溝を含み、前記第五凹形溝の後側に前後にスライドできる防水ブロックが設置され、前記防水ブロックの左右端に口が外向く第四凹形溝が設置され、前記第五凹形溝の左右側の内壁に第五回転筐体が対称で設置され、前記第五回転筐体と第四凹形溝の間に第三通り穴が連通し設置され、前記第四凹形溝に前記第三通り穴までスライドできる第四スライドブロックが設置され、前記第五回転筐体には回転できる第一糸巻き輪が設置され、前記第五回転筐体の前側の内壁に第六回転筐体が対称で設置され、前記第六回転筐体に回転できる第二糸巻き輪が設置され、前記第六回転筐体の間の内壁に第七回転筐体が設置され、前記第七回転筐体に回転できる第三糸巻き輪が設置され、前記第四スライドブロックの前記第五回転筐体に近づく一端に引縄が固定に接続され、前記引縄が前記第一糸巻き輪と前記第二糸巻き輪に巻き付けられて最終に前記第三糸巻き輪に巻き付けて固着されされ、前記第三糸巻き輪の軸心に下端が下側の内壁に固定される電機と動力で係合し接続される第八回転軸が固定に接続され、前記防水ブロックの前端に膨張式救命艇が設置され、前記膨張式救命艇の前端に膨張管が設置され、前記第五凹形溝の前側の内壁に膨張ポンプが固定に設置され、前記膨張ポンプの後端と膨張管が固定に接続され且つ前記膨張ポンプと前記第七回転筐体の下側の電機が電気で接続され、前記膨張式救命艇に陳列分布で他端が前記第五凹形溝の前側の内壁に固定に接続されるばねが設置され、前記揚水装置が前記装置主体に設置される口が上向く貯水溝を含み、前記貯水溝の下側の内壁にインレットパイプが設置され、前記インレットパイプの上端の筒先に第一裏漉しが設置され、前記インレットパイプの下端の内壁に揚水ポンプが設置され、前記貯水溝の左側の内壁に外界を貫く出水管が設置され、前記出水管の右端の筒先に第二裏漉しが固定に設置され、人が生け物を捕る時に、生けものを貯水溝に置き、前記揚水ポンプを開いて海水を貯水溝に引きも切らずに吸い上げて生け物の生存を保証し、水位が高すぎるときに前記出水管から排出されることができ、それにより生け物の逃亡を避け、前記垂釣装置が前記装置主体の上端に設置される固定棚を含み、前記固定棚の上端に垂釣レバーが固定に接続される。
【発明の詳細な説明】
【技術分野】
【０００１】
本発明は知能駆動技術分野を取り上げて、具体的には高速転向の蒸気タービン設備である。
【背景技術】
【０００２】
人々の生活レベルが高まって来るのに伴って、精神面での追求に重点が多ければ多いほど置かれ、その追求を実現するために、多くの人は旅行を選ぶ。旅行といえば、多くの人に対して海辺は絶好な選択であり、そのため、船に乗らないとならない。それに対して、操作が便利で刺激のあるヨットが最優選択になる。現在多いヨットは、大半が片スクリュー駆動で、ハンドルを通じて船体の両側に支配する当て板で方向を支配し、本装置が三重スクリューを駆動とすることに運用し、船のスピードをもっと速め、また転向が一般当て板で支配するヨットに比べて、もっと機敏で、本装置が船体には救命ボートが設置され、突発の状況には生存率は大きく向上した、高速転向の蒸気タービン設備をデザインすることが必要だ。
【先行技術文献】
【特許文献】
【０００３】
【特許文献１】中国特許出願公開第102454439号明細書
【発明の概要】
【発明が解決しようとする課題】
【０００４】
本発明は解決する必要な技術問題が高速転向の蒸気タービン設備を提供し、それは上記の現在の技術中の問題を解決できる。
【０００５】
本発明は以下の技術プランを通じて実現する：本発明の高速転向の蒸気タービン設備は、装置主体、前記装置主体に設置される案内装置、前記装置主体に設置される動力装置、前記装置主体に設置される緊急救命装置、前記装置主体に設置される揚水装置及び前記装置主体に設置される垂釣装置を含み、前記案内装置が前記装置主体の上端に設置される第一案内ブロックを含み、前記第一案内ブロックに第一回転筐体が設置され、前記第一回転筐体に回転できる第一斜歯歯車が設置され、前記第一斜歯歯車の軸心に回転でき且つ左端が前記第一案内ブロックに伸びる第一回転軸が固定に接続され、前記第一回転軸の左端にハンドルが固定に接続され、前記第一回転筐体の右側に第二回転筐体が連通し設置され、前記第二回転筐体に前記第一斜歯歯車と噛合係合し接続される第二斜歯歯車が設置され、前記第二斜歯歯車の軸心に回転できる第二回転軸が固定に接続され、前記装置主体に第一空き筐体が設置され、前記第二回転軸の下端が前記第一空き筐体に挿入し且つ前記第二回転軸の下端にフック継手が固定接続され、前記第一空き筐体の左側内壁に第一伝動筐体が設置され、前記第一伝動筐体と前記第一空き筐体の間に第一通り穴が連通し設置され、前記フック継手の下端に回転でき且つ前記第一通り穴を通じて前記第一伝動筐体に伸びる第三回転軸が固定に接続され、前記第三回転軸の下端に回転できる第一平歯車が固定に接続され、前記第一伝動筐体の左側に第一スライド筐体が連通し設置され、前記第一スライド筐体に前記第一平歯車と螺合し接続し且つ前後にスライドするラックが設置され、前記装置主体の前後端に前後対称の第二作業ブロックが固定に接続され、前記第二作業ブロックに前記第一スライド筐体と連通する第二伝動筐体が設置され、前記第二伝動筐体に開口が相対する上下対称の第一ガイド溝が設置され、前記第一スライド筐体に前記第二伝動筐体に挿入し且つ上下端が前記第一ガイド溝に引っ掛かって前記第一ガイド溝に沿って前後にスライドする第一スライドブロックが設置され、前記第一スライドブロックの相対する端に口が相対する第一凹形溝が設置され、前記第一凹形溝の左右側の内壁に左右対称のガイドブロックが固定に接続され、前記ラックの前後端にそれぞれ前記凹形溝に伸びる第二スライドブロックが対称で固定に接続され、前記第一スライドブロックの左端の外側に近づく位置に第四回転軸が回転で固定に接続され、前記第二作業ブロックの左端に開口が左向く第二凹形溝が設置され、前記第二凹形溝と前記第二伝動筐体の間に第二通り穴が連通し設置され、前記第二通り穴に開口が相対する上下対称の第二ガイド溝が設置され、前記第二通り穴に上下端が前記第二ガイド溝に挿入し且つ前後にスライドできる第三スライドブロックが設置され、前記第四回転軸の左端が伸びて前記第二通り穴を通して前記第二凹形溝に伸び且つ第一スクリューと固定に接続され、前記第四回転軸が伸びて前記第三スライドブロックを通り抜けて前記第三スライドブロックと回転的に固定に接続され、前記第三スライドブロックの前後端に他端が前記第二通り穴の前後端の内壁に固定に接続される弾性防水皮が対称で固定に接続される。
【０００６】
優先的な技術プランとして、前記動力装置が前記装置主体の左端に固定に設置される蒸気タービンを含み、前記蒸気タービンの下端に第五回転軸が動力で係合し接続され、前記蒸気タービンの下端の内壁に第三回転筐体が設置され、前記第五回転軸の下端が前記第三回転筐体に挿入して回転できる第三斜歯歯車と固定に接続され、前記第三斜歯歯車の右端に回転できる第四斜歯歯車が噛合係合し接続され、前記第四斜歯歯車の軸心に左端が外界に挿入し且つ回転できる第六回転軸が固定に接続され、前記第六回転軸の左端に第二スクリューが固定に接続され、前記第三回転筐体の右側の内壁に右側の内壁が前記第一スライド筐体に連通する第四回転筺体が設置され、前記第六回転軸の右端が第四回転筐体に挿入して回転できる第五斜歯歯車と固定に接続され、前記第四回転筐体に前記第五斜歯歯車と噛合係合し接続される第六斜歯歯車が前後対称で設置され、前記第六斜歯歯車の軸心に前記伝動筐体に挿入し且つ回転できる第七回転軸が固定に接続され、前記第七回転軸の他端に回転できる第七斜歯歯車が固定に接続され、前記第七斜歯歯車の右端に前記第四回転軸に固定に接続される第八斜歯歯車が噛合係合し接続され、前記第二伝動筐体の外側の内壁に口が内向く且つ前記第八斜歯歯車と整列する第三凹形溝が設置される。
【０００７】
優先的な技術プランとして、前記緊急救命装置が前記装置主体に設置される開口が後向く第五凹形溝を含み、前記第五凹形溝の後側に前後にスライドできる防水ブロックが設置され、前記防水ブロックの左右端に口が外向く第四凹形溝が設置され、前記第五凹形溝の左右側の内壁に第五回転筐体が対称で設置され、前記第五回転筐体と第四凹形溝の間に第三通り穴が連通し設置され、前記第四凹形溝に前記第三通り穴までスライドできる第四スライドブロックが設置され、前記第五回転筐体には回転できる第一糸巻き輪が設置され、前記第五回転筐体の前側の内壁に第六回転筐体が対称で設置され、前記第六回転筐体に回転できる第二糸巻き輪が設置され、前記第六回転筐体の間の内壁に第七回転筐体が設置され、前記第七回転筐体に回転できる第三糸巻き輪が設置され、前記第四スライドブロックの前記第五回転筐体に近づく一端に引縄が固定に接続され、前記引縄が前記第一糸巻き輪と前記第二糸巻き輪に巻き付けられて最終に前記第三糸巻き輪に巻き付けて固着され、前記第三糸巻き輪の軸心に下端が下側の内壁に固定される電機と動力で係合し接続される第八回転軸が固定に接続され、前記防水ブロックの前端に膨張式救命艇が設置され、前記膨張式救命艇の前端に膨張管が設置され、前記第五凹形溝の前側の内壁に膨張ポンプが固定に設置され、前記膨張ポンプの後端と膨張管が固定に接続され且つ前記膨張ポンプと前記第七回転筐体の下側の電機が電気で接続され、前記膨張式救命艇に陳列分布で他端が前記第五凹形溝の前側の内壁に固定に接続されるばねが設置される。
【０００８】
優先的な技術プランとして、前記揚水装置が前記装置主体に設置される口が上向く貯水溝を含み、前記貯水溝の下側の内壁にインレットパイプが設置され、前記インレットパイプの上端の筒先に第一裏漉しが設置され、前記インレットパイプの下端の内壁に揚水ポンプが設置され、前記貯水溝の左側の内壁に外界を貫く出水管が設置され、前記出水管の右端の筒先に第二裏漉しが固定に設置され、人が生け物を捕る時に、生けものを貯水溝に置き、前記揚水ポンプを開いて海水を貯水溝に引きも切らずに吸い上げて生け物の生存を保証し、水位が高すぎるときに前記出水管から排出されることができ、生け物の逃亡を防止できる。
【０００９】
優先的な技術プランとして、前記垂釣装置が前記装置主体の上端に設置される固定棚を含み、前記固定棚の上端に垂釣レバーが固定に接続される。
【発明の効果】
【００１０】
本発明の有益効果は：本発明の全体構造が簡単で、操作が便利で、本装置が航行する時に、蒸気タービンを開き、蒸気タービンが第五回転軸を回転駆動させ、第五回転軸が第三斜歯歯車を回転駆動させ、第三斜歯歯車が第四斜歯歯車を回転駆動させ、第四斜歯歯車が第六回転軸を回転駆動させ、第六回転軸が第二スクリュー及び第五斜歯歯車を回転駆動させ、第五斜歯歯車が第六斜歯歯車を回転駆動させ、第六斜歯歯車が第七回転軸を回転駆動させ、第七回転軸が第七斜歯歯車を回転駆動させ、第七斜歯歯車が第八斜歯歯車を回転駆動させ、第八斜歯歯車が第四回転軸を回転駆動させ、第四回転軸が第一スクリューを回転駆動させ、蒸気タービンが起動する時に、三つのスクリューが同時に運転して本装置の航行を駆動させ、転向するときに、ハンドルを回転し、ハンドルが第一回転軸を回転駆動させ、第一回転軸が第一斜歯歯車を回転駆動させ、第一斜歯歯車が第二斜歯歯車を回転駆動させ、第二斜歯歯車が第二回転軸を回転駆動させ、第二回転軸がフック継手を回転駆動させ、フック継手が第三回転軸を回転駆動させ、第三回転軸が第一平歯車を回転駆動させ、第一平歯車がラックを前後にスライド駆動させ、ラックが前へスライドする時に、ラックが前側の第一スライドブロックを前へスライド駆動させ、前側の第一スライドブロックが前側の第四回転軸を前へスライド駆動させ、前側の第八斜歯歯車と前側の第七斜歯歯車が噛み合う状態から離れ、この時後側の第八斜歯歯車と前側の第七斜歯歯車が依然に噛み合う状態にあり、後側にある第四回転軸が提供する動力の下で、本装置が前への高速転向を完成し、反対にラックが後へスライドする時に、本装置が後へ回転し、ハンドルを復位させ、本装置が直行する状態に戻り、本装置が航行する中で緊急事態により使用不可になされるまたは壊滅的なダメージを受けると、緊急救命装置を起動し、第七回転筐体の下側内壁にある電機を起動し、第八回転軸を回転させ、第八回転軸が第三糸巻き輪を回転駆動させて引縄を牽引して第四スライドブロックを第四凹形溝から滑り出させ、第八回転軸が回転する同時に、膨張ポンプが起動して膨張式救命艇に空気を詰め始め、第四スライドブロックが第四凹形溝から滑り出て、膨張式救命艇が高速に膨張し、ばねの弾力が防水ブロックを第五凹形溝から滑り出らせ、膨張式救命艇も第五凹形溝から弾き出され、膨張式救命艇に空気を詰めた後、人員が膨張式救命艇に登って膨張管を断って脱出し、この装置が他のヨットでは不用意な三重動力高速転向の機能がある。
【図面の簡単な説明】
【００１１】
説明しやすいため、本発明は以下の具体的な実施例と付図を交え詳しく説明する。
【００１２】
【図１】本発明の高速転向の蒸気タービン設備の内部構造概略図である。
【図２】図1の「A-A」方向の断面図である。
【図３】図2の「B」の拡大概略図である。
【図４】図2の「C-C」方向の断面図である。
【発明を実施するための形態】
【００１３】
図1〜図４が示すように、本発明の高速転向の蒸気タービン設備は、装置主体１０、前記装置主体１０に設置される案内装置、前記装置主体１０に設置される動力装置、前記装置主体１０に設置される緊急救命装置、前記装置主体１０に設置される揚水装置及び前記装置主体１０に設置される垂釣装置を含み、前記案内装置が前記装置主体１０の上端に設置される第一案内ブロック１１を含み、前記第一案内ブロック１１に第一回転筐体１２が設置され、前記第一回転筐体１２に回転できる第一斜歯歯車１３が設置され、前記第一斜歯歯車１３の軸心に回転でき且つ左端が前記第一案内ブロック１１に伸びる第一回転軸１４が固定に接続され、前記第一回転軸１４の左端にハンドル１５が固定に接続され、前記第一回転筐体１２の右側に第二回転筐体１６が連通し設置され、前記第二回転筐体１６に前記第一斜歯歯車１３と噛合係合し接続される第二斜歯歯車１７が設置され、前記第二斜歯歯車１７の軸心に回転できる第二回転軸１８が固定に接続され、前記装置主体１０に第一空き筐体１９が設置され、前記第二回転軸１８の下端が前記第一空き筐体１９に挿入し且つ前記第二回転軸１８の下端にフック継手２０が固定接続され、前記第一空き筐体１９の左側内壁に第一伝動筐体２１が設置され、前記第一伝動筐体２１と前記第一空き筐体１９の間に第一通り穴２２が連通し設置され、前記フック継手２０の下端に回転でき且つ前記第一通り穴２２を通じて前記第一伝動筐体２１に伸びる第三回転軸２３が固定に接続され、前記第三回転軸２３の下端に回転できる第一平歯車２４が固定に接続され、前記第一伝動筐体２１の左側に第一スライド筐体２５が連通し設置され、前記第一スライド筐体２５に前記第一平歯車２４と螺合し接続し且つ前後にスライドするラック２６が設置され、前記装置主体１０の前後端に前後対称の第二作業ブロック２７が固定に接続され、前記第二作業ブロック２７に前記第一スライド筐体２５と連通する第二伝動筐体２８が設置され、前記第二伝動筐体２８に開口が相対する上下対称の第一ガイド溝３５が設置され、前記第一スライド筐体２５に前記第二伝動筐体２８に挿入し且つ上下端が前記第一ガイド溝３５に引っ掛かって前記第一ガイド溝３５に沿って前後にスライドする第一スライドブロック２９が設置され、前記第一スライドブロック２９の相対する端に口が相対する第一凹形溝３０が設置され、前記第一凹形溝３０の左右側の内壁に左右対称のガイドブロック３１が固定に接続され、前記ラック２６の前後端にそれぞれ前記凹形溝３０に伸びる第二スライドブロック３２が対称で固定に接続され、前記第一スライドブロック２９の左端の外側に近づく位置に第四回転軸３３が回転で固定に接続され、前記第二作業ブロック２７の左端に開口が左向く第二凹形溝３４が設置され、前記第二凹形溝３４と前記第二伝動筐体２８の間に第二通り穴３７が連通し設置され、前記第二通り穴３７に開口が相対する上下対称の第二ガイド溝３８が設置され、前記第二通り穴３７に上下端が前記第二ガイド溝３８に挿入し且つ前後にスライドできる第三スライドブロック３９が設置され、前記第四回転軸３３の左端が伸びて前記第二通り穴３７を通して前記第二凹形溝３４に伸び且つ第一スクリュー３６��固定に接続され、前記第四回転軸３３が伸びて前記第三スライドブロック３９を通り抜けて前記第三スライドブロック３９と回転的に固定に接続され、前記第三スライドブロック３９の前後端に他端が前記第二通り穴３７の前後端の内壁に固定に接続される弾性防水皮４０が対称で固定に接続される。
【００１４】
有益的には、前記動力装置が前記装置主体１０の左端に固定に設置される蒸気タービン４１を含み、前記蒸気タービン４１の下端に第五回転軸４２が動力で係合し接続され、前記蒸気タービン４１の下端の内壁に第三回転筐体４３が設置され、前記第五回転軸４２の下端が前記第三回転筐体４３に挿入して回転できる第三斜歯歯車４４と固定に接続され、前記第三斜歯歯車４４の右端に回転できる第四斜歯歯車４５が噛合係合し接続され、前記第四斜歯歯車４５の軸心に左端が外界に挿入し且つ回転できる第六回転軸４６が固定に接続され、前記第六回転軸４６の左端に第二スクリュー４７が固定に接続され、前記第三回転筐体４３の右側の内壁に右側の内壁が前記第一スライド筐体２５に連通する第四回転筺体４８が設置され、前記第六回転軸４６の右端が第四回転筐体４８に挿入して回転できる第五斜歯歯車４９と固定に接続され、前記第四回転筐体４８に前記第五斜歯歯車４９と噛合係合し接続される第六斜歯歯車５０が前後対称で設置され、前記第六斜歯歯車５０の軸心に前記伝動筐体２８に挿入し且つ回転できる第七回転軸５１が固定に接続され、前記第七回転軸５１の他端に回転できる第七斜歯歯車５２が固定に接続され、前記第七斜歯歯車５２の右端に前記第四回転軸３３に固定に接続される第八斜歯歯車５３が噛合係合し接続され、前記第二伝動筐体２８の外側の内壁に口が内向く且つ前記第八斜歯歯車５３と整列する第三凹形溝５４が設置される。
【００１５】
有益的には、前記緊急救命装置が前記装置主体１０に設置される開口が後向く第五凹形溝５５を含み、前記第五凹形溝５５の後側に前後にスライドできる防水ブロック５６が設置され、前記防水ブロック５６の左右端に口が外向く第四凹形溝５７が設置され、前記第五凹形溝５５の左右側の内壁に第五回転筐体５８が対称で設置され、前記第五回転筐体５８と第四凹形溝５７の間に第三通り穴５９が連通し設置され、前記第四凹形溝５７に前記第三通り穴５９までスライドできる第四スライドブロック６０が設置され、前記第五回転筐体５８には回転できる第一糸巻き輪６１が設置され、前記第五回転筐体５８の前側の内壁に第六回転筐体６２が対称で設置され、前記第六回転筐体６２に回転できる第二糸巻き輪６３が設置され、前記第六回転筐体６２の間の内壁に第七回転筐体６４が設置され、前記第七回転筐体６４に回転できる第三糸巻き輪６５が設置され、前記第四スライドブロック６０の前記第五回転筐体５８に近づく一端に引縄１７６が固定に接続され、前記引縄１７６が前記第一糸巻き輪６１と前記第二糸巻き輪６３に巻き付けられて最終に前記第三糸巻き輪６５に巻き付けて固着され、前記第三糸巻き輪６５の軸心に下端が下側の内壁に固定される電機と動力で係合し接続される第八回転軸６６が固定に接続され、前記防水ブロック５６の前端に膨張式救命艇６７が設置され、前記膨張式救命艇６７の前端に膨張管６８が設置され、前記第五凹形溝５５の前側の内壁に膨張ポンプ６９が固定に設置され、前記膨張ポンプ６９の後端と膨張管６８が固定に接続され且つ前記膨張ポンプ６９と前記第七回転筐体６４の下側の電機が電気で接続され、前記膨張式救命艇６７に陳列分布で他端が前記第五凹形溝５５の前側の内壁に固定に接続されるばね７０が設置される。
【００１６】
有益的には、前記揚水装置が前記装置主体１０に設置される口が上向く貯水溝７１を含み、前記貯水溝７１の下側の内壁にインレットパイプ７２が設置され、前記インレットパイプ７２の上端の筒先に第一裏漉し７３が設置され、前記インレットパイプ７２の下端の内壁に揚水ポンプ７４が設置され、前記貯水溝７１の左側の内壁に外界を貫く出水管７５が設置され、前記出水管７５の右端の筒先に第二裏漉し７６が固定に設置され、人が生け物を捕る時に、生けものを貯水溝７１に置き、前記揚水ポンプ７４を開いて海水を貯水溝７１に引きも切らずに吸い上げて生け物の生存を保証し、水位が高すぎるときに前記出水管７５から排出されることができ、生け物の逃亡を防止できる。
【００１７】
有益的には、前記垂釣装置が前記装置主体１０の上端に設置される固定棚１２０を含み、前記固定棚１２０の上端に垂釣レバー１２１が固定に接続される。
【００１８】
本装置が航行する時に、蒸気タービン４１を開き、蒸気タービン４１が第五回転軸４２を回転駆動させ、第五回転軸４２が第三斜歯歯車４４を回転駆動させ、第三斜歯歯車４４が第四斜歯歯車４５を回転駆動させ、第四斜歯歯車４５が第六回転軸４６を回転駆動させ、第六回転軸４６が第二スクリュー４７及び第五斜歯歯車４９を回転駆動させ、第五斜歯歯車４９が第六斜歯歯車５０を回転駆動させ、第六斜歯歯車５０が第七回転軸５１を回転駆動させ、第七回転軸５１が第七斜歯歯車５２を回転駆動させ、第七斜歯歯車５２が第八斜歯歯車５３を回転駆動させ、第八斜歯歯車５３が第四回転軸３３を回転駆動させ、第四回転軸３３が第一スクリュー３６を回転駆動させ、蒸気タービン４１が起動する時に、三つのスクリューが同時に運転して本装置の航行を駆動させ、転向するときに、ハンドル１５を回転し、ハンドル１５が第一回転軸１４を回転駆動させ、第一回転軸１４が第一斜歯歯車１３を回転駆動させ、第一斜歯歯車１３が第二斜歯歯車１７を回転駆動させ、第二斜歯歯車１７が第二回転軸１８を回転駆動させ、第二回転軸１８がフック継手２０を回転駆動させ、フック継手２０が第三回転軸２３を回転駆動させ、第三回転軸２３が第一平歯車２４を回転駆動させ、第一平歯車２４がラック２６を前後にスライド駆動させ、ラック２６が前へスライドする時に、ラック２６が前側の第一スライドブロック２９を前へスライド駆動させ、前側の第一スライドブロック２９が前側の第四回転軸３３を前へスライド駆動させ、前側の第八斜歯歯車５３と前側の第七斜歯歯車５２が噛み合う状態から離れ、この時後側の第八斜歯歯車５３と前側の第七斜歯歯車５２が依然に噛み合う状態にあり、後側にある第四回転軸３３が提供する動力の下で、本装置が前への高速転向を完成し、反対にラック２６が後へスライドする時に、本装置が後へ回転し、ハンドル１５を復位させ、本装置が直行する状態に戻り、本装置が航行する中で緊急事態により使用不可になされるまたは壊滅的なダメージを受けると、緊急救命装置を起動し、第七回転筐体６４の下側内壁にある電機を起動し、第八回転軸６６を回転させ、第八回転軸６６が第三糸巻き輪６５を回転駆動させて引縄１７６を牽引して第四スライドブロック６０を第四凹形溝５７から滑り出させ、第八回転軸６６が回転する同時に、膨張ポンプ６９が起動して膨張式救命艇６７に空気を詰め始め、第四スライドブロック６０が第四凹形溝５７から滑り出て、膨張式救命艇６７が高速に膨張し、ばね７０の弾力により防水ブロック５６が第五凹形溝５５から滑り出ると、膨張式救命艇６７も第五凹形溝５５から弾き出され、膨張式救命艇６７に空気を詰めた後、人員が膨張式救命艇に登って膨張管６８を断って脱出し、この装置が他のヨットでは不用意な三重動力高速転向の機能がある。
【００１９】
本発明の有益効果は：本発明は全体構造が簡単で、操作が便利で、本装置が航行する時に、蒸気タービンを開き、蒸気タービンが第五回転軸を回転駆動させ、第五回転軸が第三斜歯歯車を回転駆動させ、第三斜歯歯車が第四斜歯歯車を回転駆動させ、第四斜歯歯車が第六回転軸を回転駆動させ、第六回転軸が第二スクリュー及び第五斜歯歯車を回転駆動させ、第五斜歯歯車が第六斜歯歯車を回転駆動させ、第六斜歯歯車が第七回転軸を回転駆動させ、第七回転軸が第七斜歯歯車を回転駆動させ、第七斜歯歯車が第八斜歯歯車を回転駆動させ、第八斜歯歯車が第四回転軸を回転駆動させ、第四回転軸が第一スクリューを回転駆動させ、蒸気タービンが起動する時に、三つのスクリューが同時に運転して本装置の航行を駆動させ、転向するときに、ハンドルを回転し、ハンドルが第一回転軸を回転駆動させ、第一回転軸が第一斜歯歯車を回転駆動させ、第一斜歯歯車が第二斜歯歯車を回転駆動させ、第二斜歯歯車が第二回転軸を回転駆動させ、第二回転軸がフック継手を回転駆動させ、フック継手が第三回転軸を回転駆動させ、第三回転軸が第一平歯車を回転駆動させ、第一平歯車がラックを前後にスライド駆動させ、ラックが前へスライドする時に、ラックが前側の第一スライドブロックを前へスライド駆動させ、前側の第一スライドブロックが前側の第四回転軸を前へスライド駆動させ、前側の第八斜歯歯車と前側の第七斜歯歯車が噛み合う状態から離れ、この時後側の第八斜歯歯車と前側の第七斜歯歯車が依然に噛み合う状態にあり、後側にある第四回転軸が提供する動力の下で、本装置が前への高速転向を完成し、反対にラックが後へスライドする時に、本装置が後へ回転し、ハンドルを復位させ、本装置が直行する状態に戻り、本装置が航行する中で緊急事態により使用不可になされるまたは壊滅的なダメージを受けると、緊急救命装置を起動し、第七回転筐体の下側内壁にある電機を起動し、第八回転軸を回転させ、第八回転軸が第三糸巻き輪を回転駆動させて引縄を牽引して第四スライドブロックを第四凹形溝から滑り出させ、第八回転軸が回転する同時に、膨張ポンプが起動して膨張式救命艇に空気を詰め始め、第四スライドブロックが第四凹形溝から滑り出て、膨張式救命艇が高速に膨張し、ばねの弾力が防水ブロックを第五凹形溝から滑り出らせ、膨張式救命艇も第五凹形溝から弾き出され、膨張式救命艇に空気を詰めた後、人員が膨張式救命艇に登って膨張管を断って脱出し、この装置が他のヨットでは不用意な三重動力高速転向の機能がある。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020011704.tif 000003
【図２】
2020011704.tif 000004
【図３】
2020011704.tif 000005
【図４】
2020011704.tif 000006
【手続補正書】
【提出日】平成31年3月5日(2019.3.5)
【手続補正１】
【補正対象書類名】特許請求の範囲
【補正対象項目名】請求項１
【補正方法】変更
【補正の内容】
【請求項１】
高速転向の蒸気タービン設備は、装置主体、前記装置主体に設置される案内装置、前記装置主体に設置される動力装置、前記装置主体に設置される緊急救命装置、前記装置主体に設置される揚水装置及び前記装置主体に設置される垂釣装置を含み、前記案内装置が前記装置主体の上端に設置される第一案内ブロックを含み、前記第一案内ブロックに第一回転筐体が設置され、前記第一回転筐体に回転できる第一斜歯歯車が設置され、前記第一斜歯歯車の軸心に回転でき且つ左端が前記第一案内ブロックに伸びる第一回転軸が固定に接続され、前記第一回転軸の左端にハンドルが固定に接続され、前記第一回転筐体の右側に第二回転筐体が連通し設置され、前記第二回転筐体に前記第一斜歯歯車と噛合係合し接続される第二斜歯歯車が設置され、前記第二斜歯歯車の軸心に回転できる第二回転軸が固定に接続され、前記装置主体に第一空き筐体が設置され、前記第二回転軸の下端が前記第一空き筐体に挿入し且つ前記第二回転軸の下端にフック継手が固定接続され、前記第一空き筐体の左側内壁に第一伝動筐体が設置され、前記第一伝動筐体と前記第一空き筐体の間に第一通り穴が連通し設置され、前記フック継手の下端に回転でき且つ前記第一通り穴を通じて前記第一伝動筐体に伸びる第三回転軸が固定に接続され、前記第三回転軸の下端に回転できる第一平歯車が固定に接続され、前記第一伝動筐体の左側に第一スライド筐体が連通し設置され、前記第一スライド筐体に前記第一平歯車とねじ山により係合し接続し且つ前後にスライドするラックが設置され、前記装置主体の前後端に前後対称の第二作業ブロックが固定に接続され、前記第二作業ブロックに前記第一スライド筐体と連通する第二伝動筐体が設置され、前記第二伝動筐体に開口が相対する上下対称の第一ガイド溝が設置され、前記第一スライド筐体に前記第二伝動筐体に挿入し且つ上下端が前記第一ガイド溝に引っ掛かって前記第一ガイド溝に沿って前後にスライドする第一スライドブロックが設置され、前記第一スライドブロックの相対する端に口が相対する第一凹形溝が設置され、前記第一凹形溝の左右側の内壁に左右対称のガイドブロックが固定に接続され、前記ラックの前後端にそれぞれ前記第一凹形溝に伸びる第二スライドブロックが対称で固定に接続され、前記第一スライドブロックの左端の外側に近づく位置に第四回転軸が回転で固定に接続され、前記第二作業ブロックの左端に開口が左向く第二凹形溝が設置され、前記第二凹形溝と前記第二伝動筐体の間に第二通り穴が連通し設置され、前記第二通り穴に開口が相対する上下対称の第二ガイド溝が設置され、前記第二通り穴に上下端が前記第二ガイド溝に挿入し且つ前後にスライドできる第三スライドブロックが設置され、前記第四回転軸の左端が伸びて前記第二通り穴を通して前記第二凹形溝に伸び且つ第一スクリューと固定に接続され、前記第四回転軸が伸びて前記第三スライドブロックを通り抜けて前記第三スライドブロックと回転的に固定に接続され、前記第三スライドブロックの前後端に他端が前記第二通り穴の前後端の内壁に固定に接続される弾性防水皮が対称で固定に接続され、前記動力装置が前記装置主体の左端に固定に設置される蒸気タービンを含み、前記蒸気タービンの下端に第五回転軸が動力が伝達できるように係合し接続されされ、前記蒸気タービンの下端の内壁に第三回転筐体が設置され、前記第五回転軸の下端が前記第三回転筐体に挿入して回転できる第三斜歯歯車と固定に接続され、前記第三斜歯歯車の右端に回転できる第四斜歯歯車が噛合係合し接続され、前記第四斜歯歯車の軸心に左端が外界に挿入し且つ回転できる第六回転軸が固定に接続され、前記第六回転軸の左端に第二スクリューが固定に接続され、前記第三回転筐体の右側の内壁に右側の内壁が前記第一スライド筐体に連通する第四回転筺体が設置され、前記第六回転軸の右端が第四回転筐体に挿入して回転できる第五斜歯歯車と固定に接続され、前記第四回転筐体に前記第五斜歯歯車と噛合係合し接続される第六斜歯歯車が前後対称で設置され、前記第六斜歯歯車の軸心に前記第二伝動筐体に挿入し且つ回転できる第七回転軸が固定に接続され、前記第七回転軸の他端に回転できる第七斜歯歯車が固定に接続され、前記第七斜歯歯車の右端に前記第四回転軸に固定に接続される第八斜歯歯車が噛合係合し接続され、前記第二伝動筐体の外側の内壁に口が内向き、且つ前記第八斜歯歯車と同一の水平面にある第三凹形溝が設置され、前記緊急救命装置が前記装置主体に設置される開口が後向く第五凹形溝を含み、前記第五凹形溝の後側に前後にスライドできる防水ブロックが設置され、前記防水ブロックの左右端に口が外向く第四凹形溝が設置され、前記第五凹形溝の左右側の内壁に第五回転筐体が対称で設置され、前記第五回転筐体と第四凹形溝の間に第三通り穴が連通し設置され、前記第四凹形溝に前記第三通り穴までスライドできる第四スライドブロックが設置され、前記第五回転筐体には回転できる第一糸巻き輪が設置され、前記第五回転筐体の前側の内壁に第六回転筐体が対称で設置され、前記第六回転筐体に回転できる第二糸巻き輪が設置され、前記第六回転筐体の間の内壁に第七回転筐体が設置され、前記第七回転筐体に回転できる第三糸巻き輪が設置され、前記第四スライドブロックの前記第五回転筐体に近づく一端に引縄が固定に接続され、前記引縄が前記第一糸巻き輪と前記第二糸巻き輪に巻き付けられて最終に前記第三糸巻き輪に巻き付けて固着されされ、前記第三糸巻き輪の軸心に下端が下側の内壁に固定される電機と動力が伝達できるように係合し接続されされる第八回転軸が固定に接続され、前記防水ブロックの前端に膨張式救命艇が設置され、前記膨張式救命艇の前端に膨張管が設置され、前記第五凹形溝の前側の内壁に膨張ポンプが固定に設置され、前記膨張ポンプの後端と膨張管が固定に接続され且つ前記膨張ポンプと前記第七回転筐体の下側の電機が電気で接続され、前記膨張式救命艇に陳列分布で他端が前記第五凹形溝の前側の内壁に固定に接続されるばねが設置され、前記揚水装置が前記装置主体に設置される口が上向く貯水溝を含み、前記貯水溝の下側の内壁にインレットパイプが設置され、前記インレットパイプの上端の筒先に第一裏漉しが設置され、前記インレットパイプの下端の内壁に揚水ポンプが設置され、前記貯水溝の左側の内壁に外界を貫く出水管が設置され、前記出水管の右端の筒先に第二裏漉しが固定に設置され、人が生き物を捕る時に、生き物を貯水溝に置き、前記揚水ポンプを開いて海水を貯水溝に引きも切らずに吸い上げて生き物の生存を保証し、水位が高すぎるときに前記出水管から排出されることができ、それにより生き物の逃亡を避け、前記垂釣装置が前記装置主体の上端に設置される固定棚を含み、前記固定棚の上端に垂釣レバーが固定に接続されることを特徴とする高速転向の蒸気タービン設備。
【手続補正２】
【補正対象書類名】明細書
【補正対象項目名】全文
【補正方法】変更
【補正の内容】
【発明の詳細な説明】
【技術分野】
【０００１】
本発明は知能駆動技術分野を取り上げて、具体的には高速転向の蒸気タービン設備である。
【背景技術】
【０００２】
人々の生活レベルが高まって来るのに伴って、精神面での追求に重点が多ければ多いほど置かれ、その追求を実現するために、多くの人は旅行を選ぶ。旅行といえば、多くの人に対して海辺は絶好な選択であり、そのため、船に乗らないとならない。それに対して、操作が便利で刺激のあるヨットが最優選択になる。現在多いヨットは、大半が片スクリュー駆動で、ハンドルを通じて船体の両側に支配する当て板で方向を支配し、本装置が三重スクリューを駆動とすることに運用し、船のスピードをもっと速め、また転向が一般当て板で支配するヨットに比べて、もっと機敏で、本装置が船体には救命ボートが設置され、突発の状況には生存率は大きく向上した、高速転向の蒸気タービン設備をデザインすることが必要だ。
【先行技術文献】
【特許文献】
【０００３】
【特許文献１】中国特許出願公開第102454439号明細書
【発明の概要】
【発明が解決しようとする課題】
【０００４】
本発明は解決する必要な技術問題が高速転向の蒸気タービン設備を提供し、それは上記の現在の技術中の問題を解決できる。
【０００５】
本発明は以下の技術プランを通じて実現する：本発明の高速転向の蒸気タービン設備は、装置主体、前記装置主体に設置される案内装置、前記装置主体に設置される動力装置、前記装置主体に設置される緊急救命装置、前記装置主体に設置される揚水装置及び前記装置主体に設置される垂釣装置を含み、前記案内装置が前記装置主体の上端に設置される第一案内ブロックを含み、前記第一案内ブロックに第一回転筐体が設置され、前記第一回転筐体に回転できる第一斜歯歯車が設置され、前記第一斜歯歯車の軸心に回転でき且つ左端が前記第一案内ブロックに伸びる第一回転軸が固定に接続され、前記第一回転軸の左端にハンドルが固定に接続され、前記第一回転筐体の右側に第二回転筐体が連通し設置され、前記第二回転筐体に前記第一斜歯歯車と噛合係合し接続される第二斜歯歯車が設置され、前記第二斜歯歯車の軸心に回転できる第二回転軸が固定に接続され、前記装置主体に第一空き筐体が設置され、前記第二回転軸の下端が前記第一空き筐体に挿入し且つ前記第二回転軸の下端にフック継手が固定接続され、前記第一空き筐体の左側内壁に第一伝動筐体が設置され、前記第一伝動筐体と前記第一空き筐体の間に第一通り穴が連通し設置され、前記フック継手の下端に回転でき且つ前記第一通り穴を通じて前記第一伝動筐体に伸びる第三回転軸が固定に接続され、前記第三回転軸の下端に回転できる第一平歯車が固定に接続され、前記第一伝動筐体の左側に第一スライド筐体が連通し設置され、前記第一スライド筐体に前記第一平歯車とねじ山により係合し接続し且つ前後にスライドするラックが設置され、前記装置主体の前後端に前後対称の第二作業ブロックが固定に接続され、前記第二作業ブロックに前記第一スライド筐体と連通する第二伝動筐体が設置され、前記第二伝動筐体に開口が相対する上下対称の第一ガイド溝が設置され、前記第一スライド筐体に前記第二伝動筐体に挿入し且つ上下端が前記第一ガイド溝に引っ掛かって前記第一ガイド溝に沿って前後にスライドする第一スライドブロックが設置され、前記第一スライドブロックの相対する端に口が相対する第一凹形溝が設置され、前記第一凹形溝の左右側の内壁に左右対称のガイドブロックが固定に接続され、前記ラックの前後端にそれぞれ前記第一凹形溝に伸びる第二スライドブロックが対称で固定に接続され、前記第一スライドブロックの左端の外側に近づく位置に第四回転軸が回転で固定に接続され、前記第二作業ブロックの左端に開口が左向く第二凹形溝が設置され、前記第二凹形溝と前記第二伝動筐体の間に第二通り穴が連通し設置され、前記第二通り穴に開口が相対する上下対称の第二ガイド溝が設置され、前記第二通り穴に上下端が前記第二ガイド溝に挿入し且つ前後にスライドできる第三スライドブロックが設置され、前記第四回転軸の左端が伸びて前記第二通り穴を通して前記第二凹形溝に伸び且つ第一スクリューと固定に接続され、前記第四回転軸が伸びて前記第三スライドブロックを通り抜けて前記第三スライドブロックと回転的に固定に接続され、前記第三スライドブロックの前後端に他端が前記第二通り穴の前後端の内壁に固定に接続される弾性防水皮が対称で固定に接続される。
【０００６】
優先的な技術プランとして、前記動力装置が前記装置主体の左端に固定に設置される蒸気タービンを含み、前記蒸気タービンの下端に第五回転軸が動力が伝達できるように係合し接続されされ、前記蒸気タービンの下端の内壁に第三回転筐体が設置され、前記第五回転軸の下端が前記第三回転筐体に挿入して回転できる第三斜歯歯車と固定に接続され、前記第三斜歯歯車の右端に回転できる第四斜歯歯車が噛合係合し接続され、前記第四斜歯歯車の軸心に左端が外界に挿入し且つ回転できる第六回転軸が固定に接続され、前記第六回転軸の左端に第二スクリューが固定に接続され、前記第三回転筐体の右側の内壁に右側の内壁が前記第一スライド筐体に連通する第四回転筺体が設置され、前記第六回転軸の右端が第四回転筐体に挿入して回転できる第五斜歯歯車と固定に接続され、前記第四回転筐体に前記第五斜歯歯車と噛合係合し接続される第六斜歯歯車が前後対称で設置され、前記第六斜歯歯車の軸心に前記第二伝動筐体に挿入し且つ回転できる第七回転軸が固定に接続され、前記第七回転軸の他端に回転できる第七斜歯歯車が固定に接続され、前記第七斜歯歯車の右端に前記第四回転軸に固定に接続される第八斜歯歯車が噛合係合し接続され、前記第二伝動筐体の外側の内壁に口が内向き、且つ前記第八斜歯歯車と同一の水平面にある第三凹形溝が設置される。
【０００７】
優先的な技術プランとして、前記緊急救命装置が前記装置主体に設置される開口が後向く第五凹形溝を含み、前記第五凹形溝の後側に前後にスライドできる防水ブロックが設置され、前記防水ブロックの左右端に口が外向く第四凹形溝が設置され、前記第五凹形溝の左右側の内壁に第五回転筐体が対称で設置され、前記第五回転筐体と第四凹形溝の間に第三通り穴が連通し設置され、前記第四凹形溝に前記第三通り穴までスライドできる第四スライドブロックが設置され、前記第五回転筐体には回転できる第一糸巻き輪が設置され、前記第五回転筐体の前側の内壁に第六回転筐体が対称で設置され、前記第六回転筐体に回転できる第二糸巻き輪が設置され、前記第六回転筐体の間の内壁に第七回転筐体が設置され、前記第七回転筐体に回転できる第三糸巻き輪が設置され、前記第四スライドブロックの前記第五回転筐体に近づく一端に引縄が固定に接続され、前記引縄が前記第一糸巻き輪と前記第二糸巻き輪に巻き付けられて最終に前記第三糸巻き輪に巻き付けて固着され、前記第三糸巻き輪の軸心に下端が下側の内壁に固定される電機と動力が伝達できるように係合し接続されされる第八回転軸が固定に接続され、前記防水ブロックの前端に膨張式救命艇が設置され、前記膨張式救命艇の前端に膨張管が設置され、前記第五凹形溝の前側の内壁に膨張ポンプが固定に設置され、前記膨張ポンプの後端と膨張管が固定に接続され且つ前記膨張ポンプと前記第七回転筐体の下側の電機が電気で接続され、前記膨張式救命艇に陳列分布で他端が前記第五凹形溝の前側の内壁に固定に接続されるばねが設置される。
【０００８】
優先的な技術プランとして、前記揚水装置が前記装置主体に設置される口が上向く貯水溝を含み、前記貯水溝の下側の内壁にインレットパイプが設置され、前記インレットパイプの上端の筒先に第一裏漉しが設置され、前記インレットパイプの下端の内壁に揚水ポンプが設置され、前記貯水溝の左側の内壁に外界を貫く出水管が設置され、前記出水管の右端の筒先に第二裏漉しが固定に設置され、人が生き物を捕る時に、生き物を貯水溝に置き、前記揚水ポンプを開いて海水を貯水溝に引きも切らずに吸い上げて生き物の生存を保証し、水位が高すぎるときに前記出水管から排出されることができ、生き物の逃亡を防止できる。
【０００９】
優先的な技術プランとして、前記垂釣装置が前記装置主体の上端に設置される固定棚を含み、前記固定棚の上端に垂釣レバーが固定に接続される。
【発明の効果】
【００１０】
本発明の有益効果は：本発明の全体構造が簡単で、操作が便利で、本装置が航行する時に、蒸気タービンを開き、蒸気タービンが第五回転軸を回転駆動させ、第五回転軸が第三斜歯歯車を回転駆動させ、第三斜歯歯車が第四斜歯歯車を回転駆動させ、第四斜歯歯車が第六回転軸を回転駆動させ、第六回転軸が第二スクリュー及び第五斜歯歯車を回転駆動させ、第五斜歯歯車が第六斜歯歯車を回転駆動させ、第六斜歯歯車が第七回転軸を回転駆動させ、第七回転軸が第七斜歯歯車を回転駆動させ、第七斜歯歯車が第八斜歯歯車を回転駆動させ、第八斜歯歯車が第四回転軸を回転駆動させ、第四回転軸が第一スクリューを回転駆動させ、蒸気タービンが起動する時に、三つのスクリューが同時に運転して本装置の航行を駆動させ、転向するときに、ハンドルを回転し、ハンドルが第一回転軸を回転駆動させ、第一回転軸が第一斜歯歯車を回転駆動させ、第一斜歯歯車が第二斜歯歯車を回転駆動させ、第二斜歯歯車が第二回転軸を回転駆動させ、第二回転軸がフック継手を回転駆動させ、フック継手が第三回転軸を回転駆動させ、第三回転軸が第一平歯車を回転駆動させ、第一平歯車がラックを前後にスライド駆動させ、ラックが前へスライドする時に、ラックが前側の第一スライドブロックを前へスライド駆動させ、前側の第一スライドブロックが前側の第四回転軸を前へスライド駆動させ、前側の第八斜歯歯車と前側の第七斜歯歯車が噛み合う状態から離れ、この時後側の第八斜歯歯車と前側の第七斜歯歯車が依然に噛み合う状態にあり、後側にある第四回転軸が提供する動力の下で、本装置が前への高速転向を完成し、反対にラックが後へスライドする時に、本装置が後へ回転し、ハンドルを復位させ、本装置が直行する状態に戻り、本装置が航行する中で緊急事態により使用不可になされるまたは壊滅的なダメージを受けると、緊急救命装置を起動し、第七回転筐体の下側内壁にある電機を起動し、第八回転軸を回転させ、第八回転軸が第三糸巻き輪を回転駆動させて引縄を牽引して第四スライドブロックを第四凹形溝から滑り出させ、第八回転軸が回転する同時に、膨張ポンプが起動して膨張式救命艇に空気を詰め始め、第四スライドブロックが第四凹形溝から滑り出て、膨張式救命艇が高速に膨張し、ばねの弾力が防水ブロックを第五凹形溝から滑り出らせ、膨張式救命艇も第五凹形溝から弾き出され、膨張式救命艇に空気を詰めた後、人員が膨張式救命艇に登って膨張管を断って脱出し、この装置が他のヨットでは不用意な三重動力高速転向の機能がある。
【図面の簡単な説明】
【００１１】
説明しやすいため、本発明は以下の具体的な実施例と付図を交え詳しく説明する。
【００１２】
【図１】本発明の高速転向の蒸気タービン設備の内部構造概略図である。
【図２】図1の「A-A」方向の断面図である。
【図３】図2の「B」の拡大概略図である。
【図４】図2の「C-C」方向の断面図である。
【発明を実施するための形態】
【００１３】
図1〜図４が示すように、本発明の高速転向の蒸気タービン設備は、装置主体１０、前記装置主体１０に設置される案内装置、前記装置主体１０に設置される動力装置、前記装置主体１０に設置される緊急救命装置、前記装置主体１０に設置される揚水装置及び前記装置主体１０に設置される垂釣装置を含み、前記案内装置が前記装置主体１０の上端に設置される第一案内ブロック１１を含み、前記第一案内ブロック１１に第一回転筐体１２が設置され、前記第一回転筐体１２に回転できる第一斜歯歯車１３が設置され、前記第一斜歯歯車１３の軸心に回転でき且つ左端が前記第一案内ブロック１１に伸びる第一回転軸１４が固定に接続され、前記第一回転軸１４の左端にハンドル１５が固定に接続され、前記第一回転筐体１２の右側に第二回転筐体１６が連通し設置され、前記第二回転筐体１６に前記第一斜歯歯車１３と噛合係合し接続される第二斜歯歯車１７が設置され、前記第二斜歯歯車１７の軸心に回転できる第二回転軸１８が固定に接続され、前記装置主体１０に第一空き筐体１９が設置され、前記第二回転軸１８の下端が前記第一空き筐体１９に挿入し且つ前記第二回転軸１８の下端にフック継手２０が固定接続され、前記第一空き筐体１９の左側内壁に第一伝動筐体２１が設置され、前記第一伝動筐体２１と前記第一空き筐体１９の間に第一通り穴２２が連通し設置され、前記フック継手２０の下端に回転でき且つ前記第一通り穴２２を通じて前記第一伝動筐体２１に伸びる第三回転軸２３が固定に接続され、前記第三回転軸２３の下端に回転できる第一平歯車２４が固定に接続され、前記第一伝動筐体２１の左側に第一スライド筐体２５が連通し設置され、前記第一スライド筐体２５に前記第一平歯車２４とねじ山により係合し接続し且つ前後にスライドするラック２６が設置され、前記装置主体１０の前後端に前後対称の第二作業ブロック２７が固定に接続され、前記第二作業ブロック２７に前記第一スライド筐体２５と連通する第二伝動筐体２８が設置され、前記第二伝動筐体２８に開口が相対する上下対称の第一ガイド溝３５が設置され、前記第一スライド筐体２５に前記第二伝動筐体２８に挿入し且つ上下端が前記第一ガイド溝３５に引っ掛かって前記第一ガイド溝３５に沿って前後にスライドする第一スライドブロック２９が設置され、前記第一スライドブロック２９の相対する端に口が相対する第一凹形溝３０が設置され、前記第一凹形溝３０の左右側の内壁に左右対称のガイドブロック３１が固定に接続され、前記ラック２６の前後端にそれぞれ前記第一凹形溝３０に伸びる第二スライドブロック３２が対称で固定に接続され、前記第一スライドブロック２９の左端の外側に近づく位置に第四回転軸３３が回転で固定に接続され、前記第二作業ブロック２７の左端に開口が左向く第二凹形溝３４が設置され、前記第二凹形溝３４と前記第二伝動筐体２８の間に第二通り穴３７が連通し設置され、前記第二通り穴３７に開口が相対する上下対称の第二ガイド溝３８が設置され、前記第二通り穴３７に上下端が前記第二ガイド溝３８に挿入し且つ前後にスライドできる第三スライドブロック３９が設置され、前記第四回転軸３３の左端が伸びて前記第二通り穴３７を通して前記第二凹形溝３４に伸び且つ第��スクリュー３６と固定に接続され、前記第四回転軸３３が伸びて前記第三スライドブロック３９を通り抜けて前記第三スライドブロック３９と回転的に固定に接続され、前記第三スライドブロック３９の前後端に他端が前記第二通り穴３７の前後端の内壁に固定に接続される弾性防水皮４０が対称で固定に接続される。
【００１４】
有益的には、前記動力装置が前記装置主体１０の左端に固定に設置される蒸気タービン４１を含み、前記蒸気タービン４１の下端に第五回転軸４２が動力が伝達できるように係合し接続されされ、前記蒸気タービン４１の下端の内壁に第三回転筐体４３が設置され、前記第五回転軸４２の下端が前記第三回転筐体４３に挿入して回転できる第三斜歯歯車４４と固定に接続され、前記第三斜歯歯車４４の右端に回転できる第四斜歯歯車４５が噛合係合し接続され、前記第四斜歯歯車４５の軸心に左端が外界に挿入し且つ回転できる第六回転軸４６が固定に接続され、前記第六回転軸４６の左端に第二スクリュー４７が固定に接続され、前記第三回転筐体４３の右側の内壁に右側の内壁が前記第一スライド筐体２５に連通する第四回転筺体４８が設置され、前記第六回転軸４６の右端が第四回転筐体４８に挿入して回転できる第五斜歯歯車４９と固定に接続され、前記第四回転筐体４８に前記第五斜歯歯車４９と噛合係合し接続される第六斜歯歯車５０が前後対称で設置され、前記第六斜歯歯車５０の軸心に前記第二伝動筐体２８に挿入し且つ回転できる第七回転軸５１が固定に接続され、前記第七回転軸５１の他端に回転できる第七斜歯歯車５２が固定に接続され、前記第七斜歯歯車５２の右端に前記第四回転軸３３に固定に接続される第八斜歯歯車５３が噛合係合し接続され、前記第二伝動筐体２８の外側の内壁に口が内向き、且つ前記第八斜歯歯車５３と同一の水平面にある第三凹形溝５４が設置される。
【００１５】
有益的には、前記緊急救命装置が前記装置主体１０に設置される開口が後向く第五凹形溝５５を含み、前記第五凹形溝５５の後側に前後にスライドできる防水ブロック５６が設置され、前記防水ブロック５６の左右端に口が外向く第四凹形溝５７が設置され、前記第五凹形溝５５の左右側の内壁に第五回転筐体５８が対称で設置され、前記第五回転筐体５８と第四凹形溝５７の間に第三通り穴５９が連通し設置され、前記第四凹形溝５７に前記第三通り穴５９までスライドできる第四スライドブロック６０が設置され、前記第五回転筐体５８には回転できる第一糸巻き輪６１が設置され、前記第五回転筐体５８の前側の内壁に第六回転筐体６２が対称で設置され、前記第六回転筐体６２に回転できる第二糸巻き輪６３が設置され、前記第六回転筐体６２の間の内壁に第七回転筐体６４が設置され、前記第七回転筐体６４に回転できる第三糸巻き輪６５が設置され、前記第四スライドブロック６０の前記第五回転筐体５８に近づく一端に引縄１７６が固定に接続され、前記引縄１７６が前記第一糸巻き輪６１と前記第二糸巻き輪６３に巻き付けられて最終に前記第三糸巻き輪６５に巻き付けて固着され、前記第三糸巻き輪６５の軸心に下端が下側の内壁に固定される電機と動力が伝達できるように係合し接続されされる第八回転軸６６が固定に接続され、前記防水ブロック５６の前端に膨張式救命艇６７が設置され、前記膨張式救命艇６７の前端に膨張管６８が設置され、前記第五凹形溝５５の前側の内壁に膨張ポンプ６９が固定に設置され、前記膨張ポンプ６９の後端と膨張管６８が固定に接続され且つ前記膨張ポンプ６９と前記第七回転筐体６４の下側の電機が電気で接続され、前記膨張式救命艇６７に陳列分布で他端が前記第五凹形溝５５の前側の内壁に固定に接続されるばね７０が設置される。
【００１６】
有益的には、前記揚水装置が前記装置主体１０に設置される口が上向く貯水溝７１を含み、前記貯水溝７１の下側の内壁にインレットパイプ７２が設置され、前記インレットパイプ７２の上端の筒先に第一裏漉し７３が設置され、前記インレットパイプ７２の下端の内壁に揚水ポンプ７４が設置され、前記貯水溝７１の左側の内壁に外界を貫く出水管７５が設置され、前記出水管７５の右端の筒先に第二裏漉し７６が固定に設置され、人が生き物を捕る時に、生き物を貯水溝７１に置き、前記揚水ポンプ７４を開いて海水を貯水溝７１に引きも切らずに吸い上げて生き物の生存を保証し、水位が高すぎるときに前記出水管７５から排出されることができ、生き物の逃亡を防止できる。
【００１７】
有益的には、前記垂釣装置が前記装置主体１０の上端に設置される固定棚１２０を含み、前記固定棚１２０の上端に垂釣レバー１２１が固定に接続される。
【００１８】
本装置が航行する時に、蒸気タービン４１を開き、蒸気タービン４１が第五回転軸４２を回転駆動させ、第五回転軸４２が第三斜歯歯車４４を回転駆動させ、第三斜歯歯車４４が第四斜歯歯車４５を回転駆動させ、第四斜歯歯車４５が第六回転軸４６を回転駆動させ、第六回転軸４６が第二スクリュー４７及び第五斜歯歯車４９を回転駆動させ、第五斜歯歯車４９が第六斜歯歯車５０を回転駆動させ、第六斜歯歯車５０が第七回転軸５１を回転駆動させ、第七回転軸５１が第七斜歯歯車５２を回転駆動させ、第七斜歯歯車５２が第八斜歯歯車５３を回転駆動させ、第八斜歯歯車５３が第四回転軸３３を回転駆動させ、第四回転軸３３が第一スクリュー３６を回転駆動させ、蒸気タービン４１が起動する時に、三つのスクリューが同時に運転して本装置の航行を駆動させ、転向するときに、ハンドル１５を回転し、ハンドル１５が第一回転軸１４を回転駆動させ、第一回転軸１４が第一斜歯歯車１３を回転駆動させ、第一斜歯歯車１３が第二斜歯歯車１７を回転駆動させ、第二斜歯歯車１７が第二回転軸１８を回転駆動させ、第二回転軸１８がフック継手２０を回転駆動させ、フック継手２０が第三回転軸２３を回転駆動させ、第三回転軸２３が第一平歯車２４を回転駆動させ、第一平歯車２４がラック２６を前後にスライド駆動させ、ラック２６が前へスライドする時に、ラック２６が前側の第一スライドブロック２９を前へスライド駆動させ、前側の第一スライドブロック２９が前側の第四回転軸３３を前へスライド駆動させ、前側の第八斜歯歯車５３と前側の第七斜歯歯車５２が噛み合う状態から離れ、この時後側の第八斜歯歯車５３と前側の第七斜歯歯車５２が依然に噛み合う状態にあり、後側にある第四回転軸３３が提供する動力の下で、本装置が前への高速転向を完成し、反対にラック２６が後へスライドする時に、本装置が後へ回転し、ハンドル１５を復位させ、本装置が直行する状態に戻り、本装置が航行する中で緊急事態により使用不可になされるまたは壊滅的なダメージを受けると、緊急救命装置を起動し、第七回転筐体６４の下側内壁にある電機を起動し、第八回転軸６６を回転させ、第八回転軸６６が第三糸巻き輪６５を回転駆動させて引縄１７６を牽引して第四スライドブロック６０を第四凹形溝５７から滑り出させ、第八回転軸６６が回転する同時に、膨張ポンプ６９が起動して膨張式救命艇６７に空気を詰め始め、第四スライドブロック６０が第四凹形溝５７から滑り出て、膨張式救命艇６７が高速に膨張し、ばね７０の弾力により防水ブロック５６が第五凹形溝５５から滑り出ると、膨張式救命艇６７も第五凹形溝５５から弾き出され、膨張式救命艇６７に空気を詰めた後、人員が膨張式救命艇に登って膨張管６８を断って脱出し、この装置が他のヨットでは不用意な三重動力高速転向の機能がある。
【００１９】
本発明の有益効果は：本発明は全体構造が簡単で、操作が便利で、本装置が航行する時に、蒸気タービンを開き、蒸気タービンが第五回転軸を回転駆動させ、第五回転軸が第三斜歯歯車を回転駆動させ、第三斜歯歯車が第四斜歯歯車を回転駆動させ、第四斜歯歯車が第六回転軸を回転駆動させ、第六回転軸が第二スクリュー及び第五斜歯歯車を回転駆動させ、第五斜歯歯車が第六斜歯歯車を回転駆動させ、第六斜歯歯車が第七回転軸を回転駆動させ、第七回転軸が第七斜歯歯車を回転駆動させ、第七斜歯歯車が第八斜歯歯車を回転駆動させ、第八斜歯歯車が第四回転軸を回転駆動させ、第四回転軸が第一スクリューを回転駆動させ、蒸気タービンが起動する時に、三つのスクリューが同時に運転して本装置の航行を駆動させ、転向するときに、ハンドルを回転し、ハンドルが第一回転軸を回転駆動させ、第一回転軸が第一斜歯歯車を回転駆動させ、第一斜歯歯車が第二斜歯歯車を回転駆動させ、第二斜歯歯車が第二回転軸を回転駆動させ、第二回転軸がフック継手を回転駆動させ、フック継手が第三回転軸を回転駆動させ、第三回転軸が第一平歯車を回転駆動させ、第一平歯車がラックを前後にスライド駆動させ、ラックが前へスライドする時に、ラックが前側の第一スライドブロックを前へスライド駆動させ、前側の第一スライドブロックが前側の第四回転軸を前へスライド駆動させ、前側の第八斜歯歯車と前側の第七斜歯歯車が噛み合う状態から離れ、この時後側の第八斜歯歯車と前側の第七斜歯歯車が依然に噛み合う状態にあり、後側にある第四回転軸が提供する動力の下で、本装置が前への高速転向を完成し、反対にラックが後へスライドする時に、本装置が後へ回転し、ハンドルを復位させ、本装置が直行する状態に戻り、本装置が航行する中で緊急事態により使用不可になされるまたは壊滅的なダメージを受けると、緊急救命装置を起動し、第七回転筐体の下側内壁にある電機を起動し、第八回転軸を回転させ、第八回転軸が第三糸巻き輪を回転駆動させて引縄を牽引して第四スライドブロックを第四凹形溝から滑り出させ、第八回転軸が回転する同時に、膨張ポンプが起動して膨張式救命艇に空気を詰め始め、第四スライドブロックが第四凹形溝から滑り出て、膨張式救命艇が高速に膨張し、ばねの弾力が防水ブロックを第五凹形溝から滑り出らせ、膨張式救命艇も第五凹形溝から弾き出され、膨張式救命艇に空気を詰めた後、人員が膨張式救命艇に登って膨張管を断って脱出し、この装置が他のヨットでは不用意な三重動力高速転向の機能がある。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正書】
【提出日】令和1年6月12日(2019.6.12)
【手続補正１】
【補正対象書類名】特許請求の範囲
【補正対象項目名】請求項１
【補正方法】変更
【補正の内容】
【請求項１】
高速転向の蒸気タービン設備は、装置主体、前記装置主体に設置される案内装置、前記装置主体に設置される動力装置、前記装置主体に設置される緊急救命装置、前記装置主体に設置される揚水装置及び前記装置主体に設置される垂釣装置を含み、前記案内装置が前記装置主体の上端に設置される第一案内ブロックを含み、前記第一案内ブロックに第一回転筐体が設置され、前記第一回転筐体に回転できる第一斜歯歯車が設置され、前記第一斜歯歯車の軸心に回転でき且つ左端が前記第一案内ブロックに伸びる第一回転軸が固定に接続され、前記第一回転軸の左端にハンドルが固定に接続され、前記第一回転筐体の右側に第二回転筐体が連通し設置され、前記第二回転筐体に前記第一斜歯歯車と噛合係合し接続される第二斜歯歯車が設置され、前記第二斜歯歯車の軸心に回転できる第二回転軸が固定に接続され、前記装置主体に第一空き筐体が設置され、前記第二回転軸の下端が前記第一空き筐体に挿入し且つ前記第二回転軸の下端にフック継手が固定接続され、前記第一空き筐体の左側内壁に第一伝動筐体が設置され、前記第一伝動筐体と前記第一空き筐体の間に第一通り穴が連通し設置され、前記フック継手の下端に回転でき且つ前記第一通り穴を通じて前記第一伝動筐体に伸びる第三回転軸が固定に接続され、前記第三回転軸の下端に回転できる第一平歯車が固定に接続され、前記第一伝動筐体の左側に第一スライド筐体が連通し設置され、前記第一スライド筐体に前記第一平歯車と噛合係合し接続し且つ前後にスライドするラックが設置され、前記装置主体の前後端に前後対称の第二作業ブロックが固定に接続され、前記第二作業ブロックに前記第一スライド筐体と連通する第二伝動筐体が設置され、前記第二伝動筐体に開口が相対する上下対称の第一ガイド溝が設置され、前記第一スライド筐体に前記第二伝動筐体に挿入し且つ上下端が前記第一ガイド溝に引っ掛かって前記第一ガイド溝に沿って前後にスライドする第一スライドブロックが設置され、前記第一スライドブロックの相対する端に口が相対する第一凹形溝が設置され、前記第一凹形溝の左右側の内壁に左右対称のガイドブロックが固定に接続され、前記ラックの前後端にそれぞれ前記第一凹形溝に伸びる第二スライドブロックが対称で固定に接続され、前記第一スライドブロックの左端の外側に近づく位置に第四回転軸が回転で固定に接続され、前記第二作業ブロックの左端に開口が左向く第二凹形溝が設置され、前記第二凹形溝と前記第二伝動筐体の間に第二通り穴が連通し設置され、前記第二通り穴に開口が相対する上下対称の第二ガイド溝が設置され、前記第二通り穴に上下端が前記第二ガイド溝に挿入し且つ前後にスライドできる第三スライドブロックが設置され、前記第四回転軸の左端が伸びて前記第二通り穴を通して前記第二凹形溝に伸び且つ第一スクリューと固定に接続され、前記第四回転軸が伸びて前記第三スライドブロックを通り抜けて前記第三スライドブロックと回転的に固定に接続され、前記第三スライドブロックの前後端に他端が前記第二通り穴の前後端の内壁に固定に接続される弾性防水皮が対称で固定に接続され、前記動力装置が前記装置主体の左端に固定に設置される蒸気タービンを含み、前記蒸気タービンの下端に第五回転軸が動力が伝達できるように係合し接続され、前記蒸気タービンの下端の内壁に第三回転筐体が設置され、前記第五回転軸の下端が前記第三回転筐体に挿入して回転できる第三斜歯歯車と固定に接続され、前記第三斜歯歯車の右端に回転できる第四斜歯歯車が噛合係合し接続され、前記第四斜歯歯車の軸心に左端が外界に挿入し且つ回転できる第六回転軸が固定に接続され、前記第六回転軸の左端に第二スクリューが固定に接続され、前記第三回転筐体の右側の内壁に右側の内壁が前記第一スライド筐体に連通する第四回転筺体が設置され、前記第六回転軸の右端が第四回転筐体に挿入して回転できる第五斜歯歯車と固定に接続され、前記第四回転筐体に前記第五斜歯歯車と噛合係合し接続される第六斜歯歯車が前後対称で設置され、前記第六斜歯歯車の軸心に前記第二伝動筐体に挿入し且つ回転できる第七回転軸が固定に接続され、前記第七回転軸の他端に回転できる第七斜歯歯車が固定に接続され、前記第七斜歯歯車の右端に前記第四回転軸に固定に接続される第八斜歯歯車が噛合係合し接続され、前記第二伝動筐体の外側の内壁に口が内向き、且つ前記第八斜歯歯車と同一の水平面にある第三凹形溝が設置され、前記緊急救命装置が前記装置主体に設置される開口が後向く第五凹形溝を含み、前記第五凹形溝の後側に前後にスライドできる防水ブロックが設置され、前記防水ブロックの左右端に口が外向く第四凹形溝が設置され、前記第五凹形溝の左右側の内壁に第五回転筐体が対称で設置され、前記第五回転筐体と第四凹形溝の間に第三通り穴が連通し設置され、前記第四凹形溝に前記第三通り穴までスライドできる第四スライドブロックが設置され、前記第五回転筐体には回転できる第一糸巻き輪が設置され、前記第五回転筐体の前側の内壁に第六回転筐体が対称で設置され、前記第六回転筐体に回転できる第二糸巻き輪が設置され、前記第六回転筐体の間の内壁に第七回転筐体が設置され、前記第七回転筐体に回転できる第三糸巻き輪が設置され、前記第四スライドブロックの前記第五回転筐体に近づく一端に引縄が固定に接続され、前記引縄が前記第一糸巻き輪と前記第二糸巻き輪に巻き付けられて最終に前記第三糸巻き輪に巻き付けて固着され、前記第三糸巻き輪の軸心に下端が下側の内壁に固定される電機と動力が伝達できるように係合し接続される第八回転軸が固定に接続され、前記防水ブロックの前端に膨張式救命艇が設置され、前記膨張式救命艇の前端に膨張管が設置され、前記第五凹形溝の前側の内壁に膨張ポンプが固定に設置され、前記膨張ポンプの後端と膨張管が固定に接続され且つ前記膨張ポンプと前記第七回転筐体の下側の電機が電気で接続され、前記膨張式救命艇に陳列分布で他端が前記第五凹形溝の前側の内壁に固定に接続されるばねが設置され、前記揚水装置が前記装置主体に設置される口が上向く貯水溝を含み、前記貯水溝の下側の内壁にインレットパイプが設置され、前記インレットパイプの上端の筒先に第一裏漉しが設置され、前記インレットパイプの下端の内壁に揚水ポンプが設置され、前記貯水溝の左側の内壁に外界を貫く出水管が設置され、前記出水管の右端の筒先に第二裏漉しが固定に設置され、人が生き物を捕る時に、生き物を貯水溝に置き、前記揚水ポンプを開いて海水を貯水溝に引きも切らずに吸い上げて生き物の生存を保証し、水位が高すぎるときに前記出水管から排出されることができ、それにより生き物の逃亡を避け、前記垂釣装置が前記装置主体の上端に設置される固定棚を含み、前記固定棚の上端に垂釣レバーが固定に接続されることを特徴とする高速転向の蒸気タービン設備。
【手続補正２】
【補正対象書類名】明細書
【補正対象項目名】全文
【補正方法】変更
【補正の内容】
【発明の詳細な説明】
【技術分野】
【０００１】
本発明は知能駆動技術分野を取り上げて、具体的には高速転向の蒸気タービン設備である。
【背景技術】
【０００２】
人々の生活レベルが高まって来るのに伴って、精神面での追求に重点が多ければ多いほど置かれ、その追求を実現するために、多くの人は旅行を選ぶ。旅行といえば、多くの人に対して海辺は絶好な選択であり、そのため、船に乗らないとならない。それに対して、操作が便利で刺激のあるヨットが最優選択になる。現在多いヨットは、大半が片スクリュー駆動で、ハンドルを通じて船体の両側に支配する当て板で方向を支配し、本装置が三重スクリューを駆動とすることに運用し、船のスピードをもっと速め、また転向が一般当て板で支配するヨットに比べて、もっと機敏で、本装置が船体には救命ボートが設置され、突発の状況には生存率は大きく向上した、高速転向の蒸気タービン設備をデザインすることが必要だ。
【先行技術文献】
【特許文献】
【０００３】
【特許文献１】中国特許出願公開第１０２４５４４３９号明細書
【発明の概要】
【発明が解決しようとする課題】
【０００４】
本発明は解決する必要な技術問題が高速転向の蒸気タービン設備を提供し、それは上記の現在の技術中の問題を解決できる。
【０００５】
本発明は以下の技術プランを通じて実現する：本発明の高速転向の蒸気タービン設備は、装置主体、前記装置主体に設置される案内装置、前記装置主体に設置される動力装置、前記装置主体に設置される緊急救命装置、前記装置主体に設置される揚水装置及び前記装置主体に設置される垂釣装置を含み、前記案内装置が前記装置主体の上端に設置される第一案内ブロックを含み、前記第一案内ブロックに第一回転筐体が設置され、前記第一回転筐体に回転できる第一斜歯歯車が設置され、前記第一斜歯歯車の軸心に回転でき且つ左端が前記第一案内ブロックに伸びる第一回転軸が固定に接続され、前記第一回転軸の左端にハンドルが固定に接続され、前記第一回転筐体の右側に第二回転筐体が連通し設置され、前記第二回転筐体に前記第一斜歯歯車と噛合係合し接続される第二斜歯歯車が設置され、前記第二斜歯歯車の軸心に回転できる第二回転軸が固定に接続され、前記装置主体に第一空き筐体が設置され、前記第二回転軸の下端が前記第一空き筐体に挿入し且つ前記第二回転軸の下端にフック継手が固定接続され、前記第一空き筐体の左側内壁に第一伝動筐体が設置され、前記第一伝動筐体と前記第一空き筐体の間に第一通り穴が連通し設置され、前記フック継手の下端に回転でき且つ前記第一通り穴を通じて前記第一伝動筐体に伸びる第三回転軸が固定に接続され、前記第三回転軸の下端に回転できる第一平歯車が固定に接続され、前記第一伝動筐体の左側に第一スライド筐体が連通し設置され、前記第一スライド筐体に前記第一平歯車と噛合係合し接続し且つ前後にスライドするラックが設置され、前記装置主体の前後端に前後対称の第二作業ブロックが固定に接続され、前記第二作業ブロックに前記第一スライド筐体と連通する第二伝動筐体が設置され、前記第二伝動筐体に開口が相対する上下対称の第一ガイド溝が設置され、前記第一スライド筐体に前記第二伝動筐体に挿入し且つ上下端が前記第一ガイド溝に引っ掛かって前記第一ガイド溝に沿って前後にスライドする第一スライドブロックが設置され、前記第一スライドブロックの相対する端に口が相対する第一凹形溝が設置され、前記第一凹形溝の左右側の内壁に左右対称のガイドブロックが固定に接続され、前記ラックの前後端にそれぞれ前記第一凹形溝に伸びる第二スライドブロックが対称で固定に接続され、前記第一スライドブロックの左端の外側に近づく位置に第四回転軸が回転で固定に接続され、前記第二作業ブロックの左端に開口が左向く第二凹形溝が設置され、前記第二凹形溝と前記第二伝動筐体の間に第二通り穴が連通し設置され、前記第二通り穴に開口が相対する上下対称の第二ガイド溝が設置され、前記第二通り穴に上下端が前記第二ガイド溝に挿入し且つ前後にスライドできる第三スライドブロックが設置され、前記第四回転軸の左端が伸びて前記第二通り穴を通して前記第二凹形溝に伸び且つ第一スクリューと固定に接続され、前記第四回転軸が伸びて前記第三スライドブロックを通り抜けて前記第三スライドブロックと回転的に固定に接続され、前記第三スライドブロックの前後端に他端が前記第二通り穴の前後端の内壁に固定に接続される弾性防水皮が対称で固定に接続される。
【０００６】
優先的な技術プランとして、前記動力装置が前記装置主体の左端に固定に設置される蒸気タービンを含み、前記蒸気タービンの下端に第五回転軸が動力が伝達できるように係合し接続され、前記蒸気タービンの下端の内壁に第三回転筐体が設置され、前記第五回転軸の下端が前記第三回転筐体に挿入して回転できる第三斜歯歯車と固定に接続され、前記第三斜歯歯車の右端に回転できる第四斜歯歯車が噛合係合し接続され、前記第四斜歯歯車の軸心に左端が外界に挿入し且つ回転できる第六回転軸が固定に接続され、前記第六回転軸の左端に第二スクリューが固定に接続され、前記第三回転筐体の右側の内壁に右側の内壁が前記第一スライド筐体に連通する第四回転筺体が設置され、前記第六回転軸の右端が第四回転筐体に挿入して回転できる第五斜歯歯車と固定に接続され、前記第四回転筐体に前記第五斜歯歯車と噛合係合し接続される第六斜歯歯車が前後対称で設置され、前記第六斜歯歯車の軸心に前記第二伝動筐体に挿入し且つ回転できる第七回転軸が固定に接続され、前記第七回転軸の他端に回転できる第七斜歯歯車が固定に接続され、前記第七斜歯歯車の右端に前記第四回転軸に固定に接続される第八斜歯歯車が噛合係合し接続され、前記第二伝動筐体の外側の内壁に口が内向き、且つ前記第八斜歯歯車と同一の水平面にある第三凹形溝が設置される。
【０００７】
優先的な技術プランとして、前記緊急救命装置が前記装置主体に設置される開口が後向く第五凹形溝を含み、前記第五凹形溝の後側に前後にスライドできる防水ブロックが設置され、前記防水ブロックの左右端に口が外向く第四凹形溝が設置され、前記第五凹形溝の左右側の内壁に第五回転筐体が対称で設置され、前記第五回転筐体と第四凹形溝の間に第三通り穴が連通し設置され、前記第四凹形溝に前記第三通り穴までスライドできる第四スライドブロックが設置され、前記第五回転筐体には回転できる第一糸巻き輪が設置され、前記第五回転筐体の前側の内壁に第六回転筐体が対称で設置され、前記第六回転筐体に回転できる第二糸巻き輪が設置され、前記第六回転筐体の間の内壁に第七回転筐体が設置され、前記第七回転筐体に回転できる第三糸巻き輪が設置され、前記第四スライドブロックの前記第五回転筐体に近づく一端に引縄が固定に接続され、前記引縄が前記第一糸巻き輪と前記第二糸巻き輪に巻き付けられて最終に前記第三糸巻き輪に巻き付けて固着され、前記第三糸巻き輪の軸心に下端が下側の内壁に固定される電機と動力が伝達できるように係合し接続される第八回転軸が固定に接続され、前記防水ブロックの前端に膨張式救命艇が設置され、前記膨張式救命艇の前端に膨張管が設置され、前記第五凹形溝の前側の内壁に膨張ポンプが固定に設置され、前記膨張ポンプの後端と膨張管が固定に接続され且つ前記膨張ポンプと前記第七回転筐体の下側の電機が電気で接続され、前記膨張式救命艇に陳列分布で他端が前記第五凹形溝の前側の内壁に固定に接続されるばねが設置される。
【０００８】
優先的な技術プランとして、前記揚水装置が前記装置主体に設置される口が上向く貯水溝を含み、前記貯水溝の下側の内壁にインレットパイプが設置され、前記インレットパイプの上端の筒先に第一裏漉しが設置され、前記インレットパイプの下端の内壁に揚水ポンプが設置され、前記貯水溝の左側の内壁に外界を貫く出水管が設置され、前記出水管の右端の筒先に第二裏漉しが固定に設置され、人が生き物を捕る時に、生き物を貯水溝に置き、前記揚水ポンプを開いて海水を貯水溝に引きも切らずに吸い上げて生き物の生存を保証し、水位が高すぎるときに前記出水管から排出されることができ、生き物の逃亡を防止できる。
【０００９】
優先的な技術プランとして、前記垂釣装置が前記装置主体の上端に設置される固定棚を含み、前記固定棚の上端に垂釣レバーが固定に接続される。
【発明の効果】
【００１０】
本発明の有益効果は：本発明の全体構造が簡単で、操作が便利で、本装置が航行する時に、蒸気タービンを開き、蒸気タービンが第五回転軸を回転駆動させ、第五回転軸が第三斜歯歯車を回転駆動させ、第三斜歯歯車が第四斜歯歯車を回転駆動させ、第四斜歯歯車が第六回転軸を回転駆動させ、第六回転軸が第二スクリュー及び第五斜歯歯車を回転駆動させ、第五斜歯歯車が第六斜歯歯車を回転駆動させ、第六斜歯歯車が第七回転軸を回転駆動させ、第七回転軸が第七斜歯歯車を回転駆動させ、第七斜歯歯車が第八斜歯歯車を回転駆動させ、第八斜歯歯車が第四回転軸を回転駆動させ、第四回転軸が第一スクリューを回転駆動させ、蒸気タービンが起動する時に、三つのスクリューが同時に運転して本装置の航行を駆動させ、転向するときに、ハンドルを回転し、ハンドルが第一回転軸を回転駆動させ、第一回転軸が第一斜歯歯車を回転駆動させ、第一斜歯歯車が第二斜歯歯車を回転駆動させ、第二斜歯歯車が第二回転軸を回転駆動させ、第二回転軸がフック継手を回転駆動させ、フック継手が第三回転軸を回転駆動させ、第三回転軸が第一平歯車を回転駆動させ、第一平歯車がラックを前後にスライド駆動させ、ラックが前へスライドする時に、ラックが前側の第一スライドブロックを前へスライド駆動させ、前側の第一スライドブロックが前側の第四回転軸を前へスライド駆動させ、前側の第八斜歯歯車と前側の第七斜歯歯車が噛み合う状態から離れ、この時後側の第八斜歯歯車と前側の第七斜歯歯車が依然に噛み合う状態にあり、後側にある第四回転軸が提供する動力の下で、本装置が前への高速転向を完成し、反対にラックが後へスライドする時に、本装置が後へ回転し、ハンドルを復位させ、本装置が直行する状態に戻り、本装置が航行する中で緊急事態により使用不可になされるまたは壊滅的なダメージを受けると、緊急救命装置を起動し、第七回転筐体の下側内壁にある電機を起動し、第八回転軸を回転させ、第八回転軸が第三糸巻き輪を回転駆動させて引縄を牽引して第四スライドブロックを第四凹形溝から滑り出させ、第八回転軸が回転する同時に、膨張ポンプが起動して膨張式救命艇に空気を詰め始め、第四スライドブロックが第四凹形溝から滑り出て、膨張式救命艇が高速に膨張し、ばねの弾力が防水ブロックを第五凹形溝から滑り出らせ、膨張式救命艇も第五凹形溝から弾き出され、膨張式救命艇に空気を詰めた後、人員が膨張式救命艇に登って膨張管を断って脱出し、この装置が他のヨットでは不用意な三重動力高速転向の機能がある。
【図面の簡単な説明】
【００１１】
説明しやすいため、本発明は以下の具体的な実施例と付図を交え詳しく説明する。
【００１２】
【図１】本発明の高速転向の蒸気タービン設備の内部構造概略図である。
【図２】図１の「Ａ−Ａ」方向の断面図である。
【図３】図２の「Ｂ」の拡大概略図である。
【図４】図２の「Ｃ−Ｃ」方向の断面図である。
【発明を実施するための形態】
【００１３】
図１〜図４が示すように、本発明の高速転向の蒸気タービン設備は、装置主体１０、前記装置主体１０に設置される案内装置、前記装置主体１０に設置される動力装置、前記装置主体１０に設置される緊急救命装置、前記装置主体１０に設置される揚水装置及び前記装置主体１０に設置される垂釣装置を含み、前記案内装置が前記装置主体１０の上端に設置される第一案内ブロック１１を含み、前記第一案内ブロック１１に第一回転筐体１２が設置され、前記第一回転筐体１２に回転できる第一斜歯歯車１３が設置され、前記第一斜歯歯車１３の軸心に回転でき且つ左端が前記第一案内ブロック１１に伸びる第一回転軸１４が固定に接続され、前記第一回転軸１４の左端にハンドル１５が固定に接続され、前記第一回転筐体１２の右側に第二回転筐体１６が連通し設置され、前記第二回転筐体１６に前記第一斜歯歯車１３と噛合係合し接続される第二斜歯歯車１７が設置され、前記第二斜歯歯車１７の軸心に回転できる第二回転軸１８が固定に接続され、前記装置主体１０に第一空き筐体１９が設置され、前記第二回転軸１８の下端が前記第一空き筐体１９に挿入し且つ前記第二回転軸１８の下端にフック継手２０が固定接続され、前記第一空き筐体１９の左側内壁に第一伝動筐体２１が設置され、前記第一伝動筐体２１と前記第一空き筐体１９の間に第一通り穴２２が連通し設置され、前記フック継手２０の下端に回転でき且つ前記第一通り穴２２を通じて前記第一伝動筐体２１に伸びる第三回転軸２３が固定に接続され、前記第三回転軸２３の下端に回転できる第一平歯車２４が固定に接続され、前記第一伝動筐体２１の左側に第一スライド筐体２５が連通し設置され、前記第一スライド筐体２５に前記第一平歯車２４と噛合係合し接続し且つ前後にスライドするラック２６が設置され、前記装置主体１０の前後端に前後対称の第二作業ブロック２７が固定に接続され、前記第二作業ブロック２７に前記第一スライド筐体２５と連通する第二伝動筐体２８が設置され、前記第二伝動筐体２８に開口が相対する上下対称の第一ガイド溝３５が設置され、前記第一スライド筐体２５に前記第二伝動筐体２８に挿入し且つ上下端が前記第一ガイド溝３５に引っ掛かって前記第一ガイド溝３５に沿って前後にスライドする第一スライドブロック２９が設置され、前記第一スライドブロック２９の相対する端に口が相対する第一凹形溝３０が設置され、前記第一凹形溝３０の左右側の内壁に左右対称のガイドブロック３１が固定に接続され、前記ラック２６の前後端にそれぞれ前記第一凹形溝３０に伸びる第二スライドブロック３２が対称で固定に接続され、前記第一スライドブロック２９の左端の外側に近づく位置に第四回転軸３３が回転で固定に接続され、前記第二作業ブロック２７の左端に開口が左向く第二凹形溝３４が設置され、前記第二凹形溝３４と前記第二伝動筐体２８の間に第二通り穴３７が連通し設置され、前記第二通り穴３７に開口が相対する上下対称の第二ガイド溝３８が設置され、前記第二通り穴３７に上下端が前記第二ガイド溝３８に挿入し且つ前後にスライドできる第三スライドブロック３９が設置され、前記第四回転軸３３の左端が伸びて前記第二通り穴３７を通して前記第二凹形溝３４に伸び且つ第一スクリュー３６と固定に接続され、前記第四回転軸３３が伸びて前記第三スライドブロック３９を通り抜けて前記第三スライドブロック３９と回転的に固定に接続され、前記第三スライドブロック３９の前後端に他端が前記第二通り穴３７の前後端の内壁に固定に接続される弾性防水皮４０が対称で固定に接続される。
【００１４】
有益的には、前記動力装置が前記装置主体１０の左端に固定に設置される蒸気タービン４１を含み、前記蒸気タービン４１の下端に第五回転軸４２が動力が伝達できるように係合し接続され、前記蒸気タービン４１の下端の内壁に第三回転筐体４３が設置され、前記第五回転軸４２の下端が前記第三回転筐体４３に挿入して回転できる第三斜歯歯車４４と固定に接続され、前記第三斜歯歯車４４の右端に回転できる第四斜歯歯車４５が噛合係合し接続され、前記第四斜歯歯車４５の軸心に左端が外界に挿入し且つ回転できる第六回転軸４６が固定に接続され、前記第六回転軸４６の左端に第二スクリュー４７が固定に接続され、前記第三回転筐体４３の右側の内壁に右側の内壁が前記第一スライド筐体２５に連通する第四回転筺体４８が設置され、前記第六回転軸４６の右端が第四回転筐体４８に挿入して回転できる第五斜歯歯車４９と固定に接続され、前記第四回転筐体４８に前記第五斜歯歯車４９と噛合係合し接続される第六斜歯歯車５０が前後対称で設置され、前記第六斜歯歯車５０の軸心に前記第二伝動筐体２８に挿入し且つ回転できる第七回転軸５１が固定に接続され、前記第七回転軸５１の他端に回転できる第七斜歯歯車５２が固定に接続され、前記第七斜歯歯車５２の右端に前記第四回転軸３３に固定に接続される第八斜歯歯車５３が噛合係合し接続され、前記第二伝動筐体２８の外側の内壁に口が内向き、且つ前記第八斜歯歯車５３と同一の水平面にある第三凹形溝５４が設置される。
【００１５】
有益的には、前記緊急救命装置が前記装置主体１０に設置される開口が後向く第五凹形溝５５を含み、前記第五凹形溝５５の後側に前後にスライドできる防水ブロック５６が設置され、前記防水ブロック５６の左右端に口が外向く第四凹形溝５７が設置され、前記第五凹形溝５５の左右側の内壁に第五回転筐体５８が対称で設置され、前記第五回転筐体５８と第四凹形溝５７の間に第三通り穴５９が連通し設置され、前記第四凹形溝５７に前記第三通り穴５９までスライドできる第四スライドブロック６０が設置され、前記第五回転筐体５８には回転できる第一糸巻き輪６１が設置され、前記第五回転筐体５８の前側の内壁に第六回転筐体６２が対称で設置され、前記第六回転筐体６２に回転できる第二糸巻き輪６３が設置され、前記第六回転筐体６２の間の内壁に第七回転筐体６４が設置され、前記第七回転筐体６４に回転できる第三糸巻き輪６５が設置され、前記第四スライドブロック６０の前記第五回転筐体５８に近づく一端に引縄１７６が固定に接続され、前記引縄１７６が前記第一糸巻き輪６１と前記第二糸巻き輪６３に巻き付けられて最終に前記第三糸巻き輪６５に巻き付けて固着され、前記第三糸巻き輪６５の軸心に下端が下側の内壁に固定される電機と動力が伝達できるように係合し接続される第八回転軸６６が固定に接続され、前記防水ブロック５６の前端に膨張式救命艇６７が設置され、前記膨張式救命艇６７の前端に膨張管６８が設置され、前記第五凹形溝５５の前側の内壁に膨張ポンプ６９が固定に設置され、前記膨張ポンプ６９の後端と膨張管６８が固定に接続され且つ前記膨張ポンプ６９と前記第七回転筐体６４の下側の電機が電気で接続され、前記膨張式救命艇６７に陳列分布で他端が前記第五凹形溝５５の前側の内壁に固定に接続されるばね７０が設置される。
【００１６】
有益的には、前記揚水装置が前記装置主体１０に設置される口が上向く貯水溝７１を含み、前記貯水溝７１の下側の内壁にインレットパイプ７２が設置され、前記インレットパイプ７２の上端の筒先に第一裏漉し７３が設置され、前記インレットパイプ７２の下端の内壁に揚水ポンプ７４が設置され、前記貯水溝７１の左側の内壁に外界を貫く出水管７５が設置され、前記出水管７５の右端の筒先に第二裏漉し７６が固定に設置され、人が生き物を捕る時に、生き物を貯水溝７１に置き、前記揚水ポンプ７４を開いて海水を貯水溝７１に引きも切らずに吸い上げて生き物の生存を保証し、水位が高すぎるときに前記出水管７５から排出されることができ、生き物の逃亡を防止できる。
【００１７】
有益的には、前記垂釣装置が前記装置主体１０の上端に設置される固定棚１２０を含み、前記固定棚１２０の上端に垂釣レバー１２１が固定に接続される。
【００１８】
本装置が航行する時に、蒸気タービン４１を開き、蒸気タービン４１が第五回転軸４２を回転駆動させ、第五回転軸４２が第三斜歯歯車４４を回転駆動させ、第三斜歯歯車４４が第四斜歯歯車４５を回転駆動させ、第四斜歯歯車４５が第六回転軸４６を回転駆動させ、第六回転軸４６が第二スクリュー４７及び第五斜歯歯車４９を回転駆動させ、第五斜歯歯車４９が第六斜歯歯車５０を回転駆動させ、第六斜歯歯車５０が第七回転軸５１を回転駆動させ、第七回転軸５１が第七斜歯歯車５２を回転駆動させ、第七斜歯歯車５２が第八斜歯歯車５３を回転駆動させ、第八斜歯歯車５３が第四回転軸３３を回転駆動させ、第四回転軸３３が第一スクリュー３６を回転駆動させ、蒸気タービン４１が起動する時に、三つのスクリューが同時に運転して本装置の航行を駆動させ、転向するときに、ハンドル１５を回転し、ハンドル１５が第一回転軸１４を回転駆動させ、第一回転軸１４が第一斜歯歯車１３を回転駆動させ、第一斜歯歯車１３が第二斜歯歯車１７を回転駆動させ、第二斜歯歯車１７が第二回転軸１８を回転駆動させ、第二回転軸１８がフック継手２０を回転駆動させ、フック継手２０が第三回転軸２３を回転駆動させ、第三回転軸２３が第一平歯車２４を回転駆動させ、第一平歯車２４がラック２６を前後にスライド駆動させ、ラック２６が前へスライドする時に、ラック２６が前側の第一スライドブロック２９を前へスライド駆動させ、前側の第一スライドブロック２９が前側の第四回転軸３３を前へスライド駆動させ、前側の第八斜歯歯車５３と前側の第七斜歯歯車５２が噛み合う状態から離れ、この時後側の第八斜歯歯車５３と前側の第七斜歯歯車５２が依然に噛み合う状態にあり、後側にある第四回転軸３３が提供する動力の下で、本装置が前への高速転向を完成し、反対にラック２６が後へスライドする時に、本装置が後へ回転し、ハンドル１５を復位させ、本装置が直行する状態に戻り、本装置が航行する中で緊急事態により使用不可になされるまたは壊滅的なダメージを受けると、緊急救命装置を起動し、第七回転筐体６４の下側内壁にある電機を起動し、第八回転軸６６を回転させ、第八回転軸６６が第三糸巻き輪６５を回転駆動させて引縄１７６を牽引して第四スライドブロック６０を第四凹形溝５７から滑り出させ、第八回転軸６６が回転する同時に、膨張ポンプ６９が起動して膨張式救命艇６７に空気を詰め始め、第四スライドブロック６０が第四凹形溝５７から滑り出て、膨張式救命艇６７が高速に膨張し、ばね７０の弾力により防水ブロック５６が第五凹形溝５５から滑り出ると、膨張式救命艇６７も第五凹形溝５５から弾き出され、膨張式救命艇６７に空気を詰めた後、人員が膨張式救命艇に登って膨張管６８を断って脱出し、この装置が他のヨットでは不用意な三重動力高速転向の機能がある。
【００１９】
本発明の有益効果は：本発明は全体構造が簡単で、操作が便利で、本装置が航行する時に、蒸気タービンを開き、蒸気タービンが第五回転軸を回転駆動させ、第五回転軸が第三斜歯歯車を回転駆動させ、第三斜歯歯車が第四斜歯歯車を回転駆動させ、第四斜歯歯車が第六回転軸を回転駆動させ、第六回転軸が第二スクリュー及び第五斜歯歯車を回転駆動させ、第五斜歯歯車が第六斜歯歯車を回転駆動させ、第六斜歯歯車が第七回転軸を回転駆動させ、第七回転軸が第七斜歯歯車を回転駆動させ、第七斜歯歯車が第八斜歯歯車を回転駆動させ、第八斜歯歯車が第四回転軸を回転駆動させ、第四回転軸が第一スクリューを回転駆動させ、蒸気タービンが起動する時に、三つのスクリューが同時に運転して本装置の航行を駆動させ、転向するときに、ハンドルを回転し、ハンドルが第一回転軸を回転駆動させ、第一回転軸が第一斜歯歯車を回転駆動させ、第一斜歯歯車が第二斜歯歯車を回転駆動させ、第二斜歯歯車が第二回転軸を回転駆動させ、第二回転軸がフック継手を回転駆動させ、フック継手が第三回転軸を回転駆動させ、第三回転軸が第一平歯車を回転駆動させ、第一平歯車がラックを前後にスライド駆動させ、ラックが前へスライドする時に、ラックが前側の第一スライドブロックを前へスライド駆動させ、前側の第一スライドブロックが前側の第四回転軸を前へスライド駆動させ、前側の第八斜歯歯車と前側の第七斜歯歯車が噛み合う状態から離れ、この時後側の第八斜歯歯車と前側の第七斜歯歯車が依然に噛み合う状態にあり、後側にある第四回転軸が提供する動力の下で、本装置が前への高速転向を完成し、反対にラックが後へスライドする時に、本装置が後へ回転し、ハンドルを復位させ、本装置が直行する状態に戻り、本装置が航行する中で緊急事態により使用不可になされるまたは壊滅的なダメージを受けると、緊急救命装置を起動し、第七回転筐体の下側内壁にある電機を起動し、第八回転軸を回転させ、第八回転軸が第三糸巻き輪を回転駆動させて引縄を牽引して第四スライドブロックを第四凹形溝から滑り出させ、第八回転軸が回転する同時に、膨張ポンプが起動して膨張式救命艇に空気を詰め始め、第四スライドブロックが第四凹形溝から滑り出て、膨張式救命艇が高速に膨張し、ばねの弾力が防水ブロックを第五凹形溝から滑り出らせ、膨張式救命艇も第五凹形溝から弾き出され、膨張式救命艇に空気を詰めた後、人員が膨張式救命艇に登って膨張管を断って脱出し、この装置が他のヨットでは不用意な三重動力高速転向の機能がある。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。